(57)【要約】【課題】文字盤上の小さい指示値をドライバーに見易くするための、メーター装置用の指針を提供する。【解決手段】指針１は、一端部１Ａをステッピングモータなどの駆動装置３０の回転軸３１に固定された指針本体部２に、メーター装置１０の文字盤１１上の指示値１１Ａ，１１Ｂを拡大表示するレンズ部３を設けている。レンズ部３は指針本体部２と一体に構成されている。レンズ部３が無色で構成され、指針本体部２が有色で構成されている。【選択図】図１
2008261706.tif 000002
【特許請求の範囲】
【請求項１】
自動車やオートバイのメーター装置に備えられた指針であって、
一端部をステッピングモータなどの駆動装置の回転軸に固定された指針本体部に、上記メーター装置の文字盤上の指示値を拡大表示するレンズ部を設けたことを特徴とする、メーター装置用指針。
【請求項２】
前記レンズ部が前記指針本体部と一体に構成されていることを特徴とする、請求項１に記載のメーター装置用指針。
【請求項３】
前記レンズ部が無色で構成され、前記指針本体部が有色で構成されていることを特徴とする、請求項１又は２に記載のメーター装置用指針。
【請求項４】
前記指針本体部の表面が塗装処理されて着色されていることを特徴とする、請求項３に記載のメーター装置用指針。
【発明の詳細な説明】
【技術分野】
【０００１】
本発明は、自動車やオートバイのメーター装置の指針に係り、特にメーター装置の文字盤上の数字，目盛り等の指示値を拡大表示する機能を備えた指針に関するものである。
【背景技術】
【０００２】
図５は従来の車両メーター装置１００の正面図である。車両用メーター装置１００は、数字，目盛り等の指示値１１１，１１２を印字した文字盤１１０と、文字盤１１０を包囲する筐体１２０と、指針１３１，１３２とを備え、左側にはスピードメーター１４０が構成され、右側にはタコメーター１５０が構成されている。また、この種の車両用メーター装置１００には照明手段が配設されており、夜間や薄暗いときに計器の数字，メモリや指針１３１，１３２が照らされる。
【０００３】
また、近年の車両メーター装置として、メモリや数字が文字盤の裏側に設けた発光手段によってバック照明されるタイプも知られている。この種の照明によれば、メモリや数字が恰も発光しているかの印象を乗員に与えることができる。このような照明効果によって、車両インテリアのデザイン性を高めることができる。
【発明の開示】
【発明が解決しようとする課題】
【０００４】
しかし、近年、自動車などに搭載するメーター装置全体の外形形状を縮小させて、例えば、車室空間をより一層広くさせたいとの要望がある。しかし、メーター装置の縮小化に伴って文字盤面積が小さくなると、文字盤上の数字，目盛り等の指示値１１１，１１２も小さくなり、ドライバーの指示値１１１，１１２に対する視認性が低下し、メーター装置が本来の機能を発揮できなくなる虞がある。
【０００５】
本発明は、以上の点に鑑みて創作されたものであり、文字盤上の小さい指示値をドライバーに見易くするための、メーター装置用の指針を提供することを目的としている。
【課題を解決するための手段】
【０００６】
上記目的を達成するため、本発明は、自動車やオートバイのメーター装置に備えられた指針であって、一端部をステッピングモータなどの駆動装置の回転軸に固定された指針本体部に、メーター装置の文字盤上の指示値を拡大表示するレンズ部を設けたことを特徴としている。
【０００７】
本発明の指針において、レンズ部は指針本体部と一体に構成されるのが望ましく、さらに好ましくはレンズ部が無色で構成され、指針本体部が有色で構成されている。例えば、指針本体部の表面が塗装処理されて着色されている。
【発明の効果】
【０００８】
本発明によれば、指針が拡大表示機能を備えているので、メーター装置自体が縮小化して、文字盤面積が小さくなり、それに伴って文字盤上の数字の指示値等が小さくなっても、ドライバーに対してメーター装置が示す情報を適切に提示できる。よって、メーター装置自体が小型化してもメーター装置本来の機能を損ねることがない。したがって、拡大表示機能を備えた指針によれば、メーター装置の小型化に貢献でき、延いては、乗員のための車室空間の拡大化等を図ることができる。
【発明を実施するための最良の形態】
【０００９】
以下、図面に基づいて本発明の実施形態を説明する。
図１は本発明の実施形態に係る指針１を適用した車両メーター装置１０を示す斜視図である。車両メーター装置１０は、数字，目盛り等の指示値１１Ａ，１１Ｂが表面に印字された文字盤１１と、文字盤１１を包囲する筐体１２と、指針１と、指針１の一端部１Ａに回転軸３１を固定したステッピングモータ等の駆動装置３０と、を備えている。なお、図示例は、車両メーター装置１０の文字盤１１と筐体１２の一部を切り欠いて表しており、スピードメーター１４が表示されている。このスピードメーター１４の横には、図示を省略するがスピードメーター１４と同様に指針１と駆動装置３０とを備えたタコメーターが配設されている。
【００１０】
図２は図１の車両メーター装置１０のスピードメーター１４の正面図であり、図３は図２のＡ−Ａ線断面図である。これらの図に示すように、本実施形態における指針１は、指針本体部２と、レンズ部３と、軸受部４と、から構成されている。
【００１１】
指針本体部２は長尺状に形成され、一端部１Ａをステッピングモータなどの駆動装置３０の回転軸３１に固定されている。
【００１２】
レンズ部３は凸レンズとして形成されており、図示例では指針本体部２の先端部に設けられている。このレンズ部３は、指針本体部２が回転する際に、文字盤上の指示値の上を、特に数字の指示値１１Ａ上を通過する。このように、指針１の回転の際に、数字の指示値１１Ａ上をレンズ部３が通過するよう、指示本体部２でのレンズ部３の位置が選定され、或いは、先端部にレンズ部３を設けた指針本体部２の長さが設定されて構成されている。
【００１３】
レンズ部３は、図３に示すように、数字の指示値１１Ａの中心Ｏがレンズの焦点Ｘとなるように配設されている。なお、凸レンズに写し出される像は、レンズの曲率を調節して選定されている。図１に示す例では、ドライバーがレンズ部３を見た場合に、レンズ部３内に数字の指示値１１Ａ、図面では数字「４０」が大きく写し出されるよう、レンズ形状が選定されている。
【００１４】
軸受部４は、駆動装置３０の回転軸３１を受容するものであり、指針本体部２の一端部１Ａにおける裏面に設けられている。
【００１５】
上記指針本体部２と、上記レンズ部３と、上記軸受部４とは、例えば、合成樹脂の材料を型に流し込んで一体的に構成される。このように、一体的に構成することで、指針１の製造コストを低減できる。なお、レンズ部３を例えばガラス材料などによって別体に構成し、図示を省略するが、例えば、指針本体部２の先端部にレンズ部３の取付穴を設け、この取付穴にレンズ部３を嵌着するようにして、指針１を構成することもできる。
【００１６】
以上のように構成される指針１を備えたメーター装置１０によれば、例えば、自動車が加速してスピードが上昇すると、車体に搭載したＥＣＵ（エレクトロニック・コントロール・ユニット）の制御の下、駆動手段３０によって指針１が回転し、指針１の回転の際に、指針１のレンズ部３が文字盤１１上の数字の指示値１１Ａ上を通過する。その際、ドライバーに対して、レンズ部３内には文字盤１１上の実際の大きさよりも大きくなった数字の指示値１１Ａが写し出される。
【００１７】
このように、本実施形態に係るメーター装置１０では、指針１のレンズ部３が文字盤１１上の指示値を実際の大きさより拡大してドライバーに提示する。したがって、ドライバーの文字盤１１上の指示値に対する視認性を高めることができる。
【００１８】
このように指針１が拡大表示機能を備えれば、メーター装置１０自体が縮小化して文字盤面積が小さくなり、それに伴って文字盤上の数字の指示値１１Ａ等が小さくなっても、ドライバーに対してメーター装置が示す情報を適切に提示できる。よって、メーター装置自体が小型化してもメーター装置本来の機能を損ねることがない。本実施形態に係る拡大表示機能を備えた指針１によれば、メーター装置の小型化に貢献でき、延いては乗員のための車室空間の拡大化等を図ることができる。
【００１９】
〔本実施形態の変形例〕
図４は本発明の実施形態に係る指針の変形例を示す図である。
指針１は、指針本体部２とレンズ部３と軸受部４とが同色で構成されていることに加え、図４（Ａ）に示すように、レンズ部３が無色で構成され、指針本体部２と軸受部４とが有色（図中の斜線領域が有色部分）で構成されていたり、図４（Ｂ）に示すように、指針本体部２の表面だけに塗装処理を施し、指針本体部２を着色して構成してもよい。
このように、レンズ部３だけを無色とすることによって、レンズ部３に写し出される像を他の指針１の部位に対して顕在化させることでき、レンズ部３に写し出される像、即ち拡大表示された数字の指示値１１Ａをドライバーに注視させることが容易になる。
【００２０】
以上説明したが、本発明はその趣旨を逸脱しない範囲において様々な形態で実施をすることができる。例えば、本発明は、タコメーターなどの他の計器類の指針にも適用でき、さらに、自動車に限らずオートバイや船舶或いは飛行体、さらには産業用又は生活用の計器類など、汎用的に種々の計器類に適用することができる。
【図面の簡単な説明】
【００２１】
【図１】本発明の実施形態に係る指針を適用したメーター装置を示す斜視図である。
【図２】図１の車両メーター装置のスピードメーターの正面図である。
【図３】図２のＡ−Ａ線断面図である。
【図４】（Ａ）及び（Ｂ）はそれぞれ本発明の実施形態に係る指針の変形例を示す図である。
【図５】従来の自動車のメーター装置を示す正面図である。
【００２２】
１  指針
１Ａ  一端部
２  指針本体部
３  レンズ部
４  軸受部
１０  車両メーター装置
１１  文字盤
１１Ａ，１１Ｂ  指示値
１２  筐体
１４  スピードメーター
３０  駆動装置
３１  回転軸
Ｏ  指示値の中心
Ｘ  焦点
【図１】
2008261706.tif 000003
【図２】
2008261706.tif 000004
【図３】
2008261706.tif 000005
【図４】
2008261706.tif 000006
【図５】
2008261706.tif 000007